(57)【特許請求の範囲】
【請求項１】
内燃機関の排気流路に設置され、排気ガス中の炭化水素類から部分酸化反応又は水蒸気改質反応により水素を生成する機能を有する触媒と、
該触媒の全体又は一部分の排気流路上流側及び下流側に設置され、ガス中のメタン量を計測する第１メタンセンサ及び第２メタンセンサと、
この第１メタンセンサ及び第２メタンセンサによって計測された触媒通過前メタン量及び触媒通過後メタン量より、該触媒通過前後におけるメタン消費量を算出し、得られたメタン消費量より、該触媒の下流に放出される水素量を算出する演算手段と、を備えることを特徴とする排気ガス中の水素量計測装置。
【請求項２】
上記触媒が、炭化水素類からメタンを生成するメタン生成触媒部と、メタンから水素を生成する水素生成触媒部を有することを特徴とする請求項１記載の水素量計測装置。
【請求項３】
上記メタン生成触媒部が上記水素生成触媒部より上流側に配置され、この水素生成触媒部の上流側及び下流側に、上記第１メタンセンサ及び第２メタンセンサが配置されていることを特徴とする請求項２記載の水素量計測装置。
【請求項４】
上記触媒は、流入する排気ガスの空燃比が理論空燃比ないしリッチであるときに水素を生成することを特徴とする請求項１〜３のいずれか１つの項に記載の水素量計測装置。
【請求項５】
排気ガス中の炭化水素類から部分酸化反応又は水蒸気改質反応により水素を生成する触媒を内燃機関の排気流路に設置し、該排気ガスが該触媒を通過する際のメタン消費量を計測し、このメタン消費量から、該触媒の下流側に流出する水素量を算出することを特徴とする排気ガス中の水素量計測方法。
【請求項６】
請求項１〜４のいずれか１つの項に記載の水素量計測装置を備えた排気ガス浄化システムであって、
上記第２メタンセンサの下流側に、窒素酸化物を浄化するＮＯｘ吸着触媒を配置して成ることを特徴とする排気ガス浄化システム。
【請求項７】
上記ＮＯｘ吸着触媒は、流入する排気ガスの空燃比がリーンのときに窒素酸化物を吸収し、理論空燃比ないしリッチのときに窒素酸化物を放出して浄化するＮＯｘ吸蔵浄化触媒であることを特徴とする請求項６記載の排気ガス浄化システム。
【請求項８】
上記ＮＯｘ吸着触媒の下流側に窒素酸化物量を計測するＮＯｘセンサを付加し、計測されたＮＯｘ量信号を上記水素量計測装置の演算手段に送信し、水素の生成量をフィードバック制御することを特徴とする請求項６又は７記載の排気ガス浄化システム。
【発明の詳細な説明】
【０００１】
【発明の属する技術分野】
本発明は、排気ガス中の水素量計測装置及び排気ガス浄化システムに係り、更に詳細には、水素を還元剤として用い、リーンバーンエンジンなどから排出されるリーンバーン排気ガス中の窒素酸化物（ＮＯｘ）を効率よく浄化できる排気ガス中の水素量計測装置及び排気ガス浄化システムに関する。
【０００２】
【従来の技術】
一般に、内燃機関が理論空燃比よりもリーンで運転されている場合、従来の三元触媒では排出されるＮＯｘの浄化が困難となる。そこで、リーン運転時に排出されるＮＯｘを吸着するＮＯｘ吸着材を備えたＮＯｘ吸着触媒が用いられる。
このＮＯｘ吸着触媒は、空燃比がリーンに設定されたときに排出されるＮＯｘをＮＯｘ吸着材により吸着し、また、空燃比が理論空燃比又はそれよりリッチに設定され排気ガス中の酸素濃度が低く、且つ還元剤である炭化水素類（ＨＣ）及び一酸化炭素（ＣＯ）が多いときに、吸着したＮＯｘを放出して浄化する。
【０００３】
しかし、ＮＯｘ吸着触媒に含まれるＮＯｘ吸着材は、吸着できるＮＯｘ量に限界があり、空燃比をリーンに設定して長時間運転を継続すると、吸着されなかったＮＯｘがそのまま大気中に排出される。そのため、上記リーン運転とリッチ運転を適時繰り返し運転する空燃比制御方法が採られている。
また、ＮＯｘ吸着材に吸着されたＮＯｘを放出させて浄化するためには、吸着されたＮＯｘと当量比のＨＣ及びＣＯを必要とする。
【０００４】
【発明が解決しようとする課題】
しかしながら、上述のような空燃比制御方法において、ＮＯｘ吸着材に吸着されたＮＯｘを放出・浄化すべく、リッチ運転を行ってより多くのＨＣ及びＣＯを供給することは、内燃機関の燃料消費を増加させ、燃費の悪化を招くという課題がある。
【０００５】
しかも、例えば、ＮＯｘ吸着触媒の上流に三元触媒を配置した場合には、理論空燃比又はそれよりもリッチの運転時に供給されるＨＣ及びＣＯは、上流に配置した三元触媒によって浄化されてしまい、ＮＯｘ吸着材に吸着されたＮＯｘに対する還元剤の供給が当量比よりも不足するため、ＮＯｘは放出されるものの、その浄化が不完全となり、大気中にＮＯｘが排出されてしまう。
従って、リーンでＮＯｘを吸着し理論空燃比〜リッチでＮＯｘを放出する機能を有する排気ガス浄化触媒の上流に、三元触媒を配置した場合には、更に多量の燃料を供給して空燃比をリッチ化しなければならず、上述のような燃費の悪化は更に促進されることになる。
【０００６】
また、上記ＨＣ及びＣＯ以外にも、ＮＯｘ還元剤として排気ガス中の水素が利用でき、例えば、部分酸化反応及び水蒸気改質反応により水素を多く発生させて、排気ガス中に該水素を供給し、ＮＯｘを浄化することが考えられる。
ここで、部分酸化反応とは、高温で炭化水素類と酸素とを反応させると、ＣＯとＨ２の混合ガスが生成される反応であって、次式▲１▼
２ＣＨ４＋Ｏ２→２ＣＯ＋４Ｈ２…▲１▼
により表され、メタン１モルから水素１モルが生成される。
また、水蒸気改質反応としては、次式▲２▼
ＣＨ４＋Ｈ２Ｏ→ＣＯ＋３Ｈ２…▲２▼
により表され、メタン１モルより水素が３モル生成される。
【０００７】
上記部分酸化反応により生成される水素量を知ることができれば、ＮＯｘ浄化すべきときに、空燃比を一時的リッチにして水素を供給できるので、無駄にリッチにすることなく、ＮＯｘ浄化効率の向上を図ることができる。
しかし、ガソリン中には水素が数％しか含まれていないことから、通常排気ガス中の水素もわずかしか含まれておらず、該排気ガス中の水素量をセンサー等により測定しようとしても直接測定できないという課題がある。
【０００８】
本発明は、このような従来技術の有する課題に鑑みてなされたものであり、その目的とするところは、触媒で生成された水素を還元剤として、ＮＯｘ吸着触媒に吸着されたＮＯｘの浄化を行うときに、内燃機関の燃費を向上させ、ＮＯｘを効率よく浄化できる排気ガス中の水素量推定装置及び排気ガス浄化システムを提供することにある。
【０００９】
【課題を解決するための手段】
本発明者らは、上記課題を解決すべく鋭意検討を行った結果、メタンの部分酸化反応及び水蒸気改質反応により水素が生成されることに着目し、排気ガスの空燃比をリッチにしたときに、排気ガス中の炭化水素から生成されたＣＨ４量から水素が生成される量を推定し、生成された水素を好ましくは適切なタイミングでＮＯｘ浄化に使用することにより、上記課題が解決されることを見出し、本発明を完成するに至った。
【００１０】
即ち、本発明の排気ガス中の水素量計測装置は、内燃機関の排気流路に設置され、排気ガス中の炭化水素類から水素を生成する機能を有する触媒と、
該触媒の全体又は一部分の排気流路上流側及び下流側に設置され、ガス中のメタン量を計測する第１メタンセンサ及び第２メタンセンサと、
この第１メタンセンサ及び第２メタンセンサによって計測された触媒通過前メタン量及び触媒通過後メタン量より、該触媒通過前後におけるメタン消費量を算出し、得られたメタン消費量より、該触媒の下流に放出される水素量を推定する演算手段と、を備えることを特徴とする。
【００１１】
また、本発明の水素量計測装置の好適形態は、上記触媒が、炭化水素類からメタンを生成するメタン生成触媒部と、メタンから水素を生成する水素生成触媒部を有することを特徴とする。
【００１２】
次に、本発明の排気ガス中の水素量計測方法は、排気ガス中の炭化水素類から水素を生成する触媒を内燃機関の排気流路に設置し、該排気ガスが該触媒を通過する際のメタン消費量を計測し、このメタン消費量から、該触媒の下流側に流出する水素量を算出することを特徴とする。
【００１３】
更に、本発明の排気ガス浄化システムは、排気ガス中の炭化水素類から水素を生成する触媒を内燃機関の排気流路に設置し、該排気ガスが該触媒を通過する際のメタン消費量を計測し、このメタン消費量から、該触媒の下流側に流出する水素量を推定することを特徴とする。
【００１４】
【発明の実施の形態】
以下、本発明の排気ガス中の水素量計測装置について詳細に説明する。
上述の如く、本発明の排気ガス中の水素量推定装置は、排気ガス中の炭化水素類から水素を生成する機能を有する触媒を挟んで、排気流路上流側及び下流側に、それぞれ第１及び第２メタンセンサを配置して成る。
【００１５】
本発明の排気ガス中の水素量計測装置は、内燃機関の空燃比がリッチのときに排出されるＨＣ及びＣＯ以外の排気ガス成分であって、かつ還元剤となり得る水素に着目し、この水素がＮＯｘ還元剤としてＮＯｘを浄化できることを発明者らが見出したことに起因する。
即ち、内燃機関の空燃比がリーンの場合、従来の三元触媒等の排気ガス浄化用触媒においては、ＨＣ及びＣＯはほとんど浄化されてしまうため、ＮＯｘ還元剤として利用することができなかった。また、排気ガスが浄化されると同時に、炭化水素類の部分酸化反応などにより水素が生成されるが、ほとんどの水素は排気ガス中のＣＯと反応して、水になってしまう。
しかし、空燃比を一時的にリッチにした場合は、排気ガス中の炭化水素類が増加するので、その分、水素の生成量も大幅に増加する。生成された水素は、リーン同様、排気ガス中のＣＯと反応して水になるが、水素の生成量に比較してわずかであり、多くの水素は下流側に流れ、ＮＯｘ還元剤として利用することができる。
【００１６】
このとき、部分酸化反応によれば、上記式▲１▼に示したように、メタン１モルから水素１モルが生成されるので、生成された水素を直接測定する代わりに、空燃比をリッチにしたときの排気ガス中のメタンの生成量を測定することによって、水素の生成量を推定することができる。
即ち、本発明の排気ガス中の水素量計測装置は、例えば三元触媒のような、部分酸化反応により水素を生成する機能を有する触媒の前後の排気流路にメタンセンサを配置し、排気ガスが上記用触媒で浄化される前と後のメタン量の変化を測定し、その変化量から水素の生成量を算出できる。
【００１７】
また、上記排気ガスから水素を生成する機能を有する触媒の例としては、上述の如く三元触媒が挙げられる。
上記三元触媒は、例えば、アルミナに、白金（Ｐｔ）、パラジウム（Ｐｄ）やロジウム（Ｒｄ）等の貴金属を担持させたもので、一酸化炭素（ＣＯ）、炭化水素（ＨＣ）及び窒素酸化物（ＮＯｘ）等をまとめて触媒反応により浄化でき、その浄化のメカニズムは複雑であるが、浄化の際、部分酸化反応等による、内燃機関から排出される炭化水素類等からの水素生成能を持つ。
【００１８】
また、上記排気ガスから水素を生成する機能を有する触媒は、排気ガス中の炭化水素からメタンを生成するメタン生成触媒部と、メタンから水素を生成する水素生成触媒部とを有することが好ましく、これら２つの触媒は、排気流路上流側にメタン生成触媒部、下流側に水素生成触媒部の順で配置されることが好ましい。
この順に配置すれば、クラッキング反応により、高分子炭化水素を低分子炭化水素に切って、メタンを発生させ、次に、部分酸化反応により、メタンから水素を効率よく生成させることができる。
上記メタン生成触媒部の触媒成分には、例えばシリカ−アルミナやゼオライト等が挙げられ、上記水素生成触媒部の触媒成分には、Ｐｄを担持したセリウム酸化物、ジルコニウム酸化物やニッケル化合物等が挙げられ、これらの成分が適量含まれていることが好ましい。
【００１９】
また、上記メタン生成触媒部と上記水素生成触媒部は、上述のようなタンデム配置に特に限定されるものではなく、触媒担体に、上記水素生成触媒部の触媒成分を被覆し、その上に上記メタン生成触媒部の触媒成分を積層してもよい。
なお、上記触媒担体は、一体構造型触媒担体が好ましく、例えばハニカム担体があり、ハニカム材料としては、一般にセラミック等のコージェライトのものが多く用いられる。しかし、これに限られず、フェライト系ステンレスの金属材料から成るハニカム材料を用いてもよく、更には触媒成分粉末そのものをハニカム形状に成形してもよい。
【００２０】
更に、上記第１及び第２メタンセンサは、上記水素生成触媒部を挟んで、その上流側及び下流側の排気流路に配置されることが好ましい。
本発明の水素量推定装置では、上述のように、水素そのものではなく、メタンを検知することにより、水素が生成されたか否かを判断するので、上記水素生成触媒部のみの前後にセンサを配置すれば、生成されたメタン量から生成される水素量を推定することができる。
【００２１】
また、上記生成されたメタン量から生成される水素量は、上記第１メタンセンサ及び第２メタンセンサによって計測された触媒通過前メタン量及び触媒通過後メタン量より、該触媒通過前後におけるメタン消費量を算出し、得られたメタン消費量より、該触媒の下流に放出される水素量を算出する演算手段で算出される。  即ち、上記メタンセンサをＥＣＵと連結して、上記式▲１▼のメタンと水素の関係を用いて、演算することにより行うことが好ましいが、これに限定されることなく、他の手段を用いてもよい。
【００２２】
更に、本発明の水素計測装置は、流入する排気ガスの空燃比が理論空燃比ないしリッチであるときに水素を生成することが好ましい。
リーンであるときにおいても水素が生成されている可能性が考えられるが、特に理論空燃比〜リッチでは、ガソリンなどの燃料が多量に供給されるため、その分排気ガス中の炭化水素類が増加し、結果として水素を多量に生成することができる。
【００２３】
次に、本発明の排気ガス中の水素量計測方法について詳細に説明する。
本発明の排気ガス中の水素量計測方法は、排気ガス中の炭化水素類から水素を生成する触媒を内燃機関の排気流路に設置し、該排気ガスが該触媒を通過する際のメタン消費量を計測し、このメタン消費量から、該触媒の下流側に流出する水素量を算出する。
即ち、上述の如く、上記水素生成触媒の前後に上記第１及び第２メタンセンサを配置し、メタン消費量を計測して該触媒の下流側に流出する水素量を算出する方法を用いてもよいが、この方法に限られることなく、他の装置等を用いて上記水素量推定方法を実施してもよい。
【００２４】
次に、本発明の排気ガス浄化システムについて詳細に説明する。
本発明の排気ガス浄化システムは、水素量計測装置を備えた排気ガス浄化システムであって、上記第２メタンセンサの下流側に窒素酸化物を浄化するＮＯｘ吸着触媒を配置して成る。
【００２５】
上記水素量計測装置には、上述のように、水素を生成する機能を有する触媒が設置されているので、該触媒で生成された水素を還元剤として、下流側に配置されたＮＯｘ吸着触媒でＮＯｘを還元浄化することができる。
特に、リーン運転時は、上記水素生成触媒において、排気ガス中のメタンから水素が生成されても、排気ガス成分の浄化に消費されたり水になってしまい、下流側のＮＯｘ吸着触媒に生成された水素はほとんど供給されないか又は供給されるにしてもわずかである。
リッチ運転時では、内燃機関に供給されるガソリンなどの燃料が多くなり、排気ガス中の炭化水素類も増加し、上記水素生成触媒においてクラッキングがおこり、メタンが多量に生成される。従って、上記水素生成触媒で消費される以上に多量に水素が生成されるため、下流側の上記ＮＯｘ吸着触媒に生成された水素のほとんどが供給されることになる。
【００２６】
リッチ運転時に多量に供給される水素を上記ＮＯｘ吸着触媒で効率的に還元剤として消費するには、上記ＮＯｘ吸着触媒は、流入する排気ガスの空燃比がリーンのときにＮＯｘを吸着し、理論空燃比〜リッチのときにＮＯｘを放出して浄化するＮＯｘ吸着浄化触媒であることが好ましく、ＮＯｘ吸着成分とＮＯｘ浄化成分とを含有することが好ましい。
ＮＯｘ吸着材としては、アルカリ金属、アルカリ土類金属又は希土類元素及びこれらの任意の組み合わせに係る元素、特にこれらの酸化物を挙げることができ、具体的には、カリウム（Ｋ）、ナトリウム（Ｎａ）、リチウム（Ｌｉ）及びセシウム（Ｃｓ）のようなアルカリ金属及びこれらの酸化物、バリウム（Ｂａ）及びカルシウム（Ｃａ）のようなアルカリ土類金属及びこれらの酸化物、ランタン（Ｌａ）及びイットリウム（Ｙ）のような希土類元素及びこれらの酸化物が挙げられる。本発明では、これらの２種以上を任意に組み合わせて用いることもできる。
また、ＮＯｘを浄化する成分としては、三元触媒にも用いられている、Ｐｔ、Ｒｈ又はＲｄ等の貴金属元素が挙げられる。
【００２７】
また、上記ＮＯｘ吸着触媒は、吸着できるＮＯｘ量に限界があるため、一定量を吸収すると、排気ガス中に吸着しきれなかったＮＯｘが増加する。
そこで、上記ＮＯｘ吸着触媒の下流側にＮＯｘ量を計測するＮＯｘセンサを付加し、計測されたＮＯｘ量信号を上記水素量計測装置の演算手段に送信し、水素の生成量をフィードバック制御することが好ましい。
即ち、上記ＮＯｘ浄化触媒を通過した排気ガス中のＮＯｘ量を測定すれば、リッチ運転に切り替えるタイミングを知ることができ、リッチ運転に切り替えて水素を多量に供給すれば、吸収されたＮＯｘを効率よく浄化することができる。そして、上記ＮＯｘ吸着触媒は、またＮＯｘを吸収することができるようになる。上記ＮＯｘ吸着触媒に吸着しきれなかったＮＯｘが排気ガス中に含まれているか否かを知ることができれば十分であるので、上記ＮＯｘセンサは、上記ＮＯｘ浄化触媒の下流側にのみ設置すればよい。
また、上記ＮＯｘ浄化触媒のＮＯｘ吸着量は、機関回転数及び温度などからＮＯｘ飽和吸着量を推定する手段によっても検知でき、上記の手段に特に限定されるものではない。
【００２８】
【実施例】
以下、本発明の排気ガス浄化システムを、図面を参照して実施例により更に詳細に説明する。
【００２９】
図１は、本発明の排気ガス浄化システムを適用した内燃機関の一例を示す構成図である。
同図において、符号１は内燃機関、２は三元触媒、３はＨ２生成触媒、４はＮＯｘ吸着触媒、５及び６は第１及び第２メタンセンサ、７はＮＯｘセンサ、８はＥＣＵを示す。
内燃機関１はエキゾーストマニホールド及び排気管を介して三元触媒２に連結されており、Ｈ２生成触媒３の前後の排気管にメタンセンサ４及び５が配置されている。更に、排気管を介してＮＯｘ吸着触媒４が連結されており、ＮＯｘ吸着触媒４の後ろの排気管にＮＯｘセンサ７が配置される構成となっている。
【００３０】
内燃機関１から排出される排気ガスはエキゾーストマニホールド及び排気管を通って三元触媒２に供給される。三元触媒２を通過した排気ガス中に含まれるメタンの量は、随時第１メタンセンサ５で発生する出力電圧がＥＣＵ８へ入力されることにより得られる。そしてＨ２生成触媒３を通過した排気ガス中のメタンの量は同様に第２メタンセンサ６で発生する出力電圧をＥＣＵ８へ入力することにより得られる。
【００３１】
次に、排気ガス中のＮＯｘは、排気ガス組成がリーンのときに三元触媒２及びＨ２生成触媒３の下流に配置したＮＯｘ吸着触媒４に吸着される。ＮＯｘ吸着触媒４を通過した排気ガス中のＮＯｘ量はＮＯｘ吸着触媒４の下流に具備したＮＯｘセンサ７で発生する出力電圧がＥＣＵ８に入力され、該出力電圧が変換されることにより得られる。
更に、排気ガス中の上記ＮＯｘ量がある所定の値を超えたと判断されたとき、ＥＣＵ８は、内燃機関の空燃比制御状態をリッチにし、三元触媒２及びＨ２生成触媒３で流入したリッチの排気ガスから水素が生成される。そして三元触媒２及びＨ２生成触媒３で生成された水素はＮＯｘ吸着触媒４に供給され、内燃機関の空燃比制御状態がリーンのときに吸着されたＮＯｘが放出浄化される。
【００３２】
図２は、本実施例における水素供給及びＮＯｘ放出浄化の一例を示すタイムフローチャートである。
図１の内燃機関がリーン運転しているときに、排気ガス中のＮＯｘはＮＯｘ浄化触媒４により吸着される。そしてＮＯｘ吸着触媒４のＮＯｘ吸収量がその許容値に達すると、ＮＯｘ吸着触媒４の下流に配置されたＮＯｘセンサ７の出力電圧が高くなり、ＮＯｘが大気中に放出されていることを知ることができる。
そこで、ＥＣＵ８内で、ＮＯｘセンサ７の出力電圧が、あるしきい値を超えたと判断されたときは、内燃機関１で空燃比を制御する各デバイスに、排気ガスの空燃比をリッチ化する指令を出す。そして空燃比がリッチ化された排気ガスが三元触媒２に流入し、排気ガス中のＨＣ成分が部分酸化され、水素を発生させることができる。
【００３３】
上記部分酸化されたＨＣは、炭素数の少ないＨＣ種になる。特にメタンは、図２のリッチ運転時に示すように、内燃機関１から排出されるメタンの量よりも三元触媒２の出口でのメタンの量が多くなる。
従って、内燃機関１の排気ガスがリッチのときの三元触媒２の出口とＨ２生成触媒３出口のメタン量を、メタンセンサ５及び６によりＥＣＵ７で検出することにより、水素が発生しているか否かを判別することができる。
【００３４】
また、上記三元触媒２及びＨ２生成触媒３で生成された水素は、ＮＯｘ吸着触媒４に流入し、排気ガスがリーンのときにＮＯｘ吸着触媒４に吸収されたＮＯｘを放出浄化する。
水素によるＮＯｘ浄化が行われると、ＮＯｘ吸着触媒４の下流に配置したＮＯｘセンサ７の出力電圧低下がＥＣＵ８で判別され、ＥＣＵ８は内燃機関１の空燃比制御を再びリーン化し、ＮＯｘ吸着触媒４はＮＯｘを吸着する。
この操作を繰り返すことにより、ＮＯｘの浄化が可能となり、また無駄なリッチ化の必要がなくなるので、燃費を改善することができる。
【００３５】
図３は、本実施例における水素によるＮＯｘ浄化判断の一例を示すフローチャートであり、本実施例の排気ガス浄化システムにおいて所望のタイミングで実行されるルーチンを示している。
なお、かかるルーチンは、図１に示したメタンセンサ５、６やＮＯｘセンサ７からの出力電圧に応じた上記水素量推定装置での演算により、処理実行される。
同図において、まず始めにステップ１０１で現在の内燃機関の空燃比がリーンかどうかが判別される。リーンの場合にはステップ１０２へ進み、リーンでない場合はＮＯｘ吸着触媒４に吸着されたＮＯｘを放出浄化させる空燃比状態であると判断される。
【００３６】
次にステップ１０２において、ＮＯｘ吸着触媒４の出口でのＮＯｘ量ＴＮＯｘが、あるしきい値に達しているかが判別される。これはＮＯｘ吸着触媒４の下流に配置したＮＯｘセンサ７の出力電圧がＥＣＵ８に入力され、ＡＤ変換されることにより判別される。ＴＮＯｘが、あるしきい値ＴＮＯｘ１に達したと判断されたときにはステップ１０３に進み、ＴＮＯｘ１に達していないと判断されたときには排気ガスの運転状態はリーンで維持される。
そしてステップ１０２において、ＴＮＯｘがしきい値であるＴＮＯｘ１を超えたと判別されたとき、ステップ１０３で水素供給フラグがＯＮとなり、内燃機関１の排気ガスの空燃比がリッチ化される。
【００３７】
次に、ステップ１０４において、Ｈ２生成触媒３の入口のメタン量ＣＨ４ＩＮがＨ２生成触媒３の出口のメタン量ＣＨ４ＯＵＴよりも低いかどうかが判別される。ＣＨ４ＩＮがＣＨ４ＯＵＴよりも低い場合、Ｈ２生成触媒３において水素が生成されていると判断され、ステップ１０６へ進み、ＣＨ４ＩＮがＣＨ４ＯＵＴよりも高い場合はステップ１０５に進み、さらに深いリッチ化を内燃機関１に対して指令する。
ステップ１０６において、ＮＯｘ吸着触媒４に吸収されたＮＯｘの放出浄化が完了したかどうかが判別される。これはＮＯｘ吸着触媒４の出口のＮＯｘ量ＴＮＯｘがあるしきい値ＴＮＯｘ２よりも低いかどうかで判別される。ＴＮＯｘがＴＮＯｘ２よりも低い場合、ＮＯｘ吸着触媒４の吸収されたＮＯｘの放出浄化が終了し、ＮＯｘ吸着触媒４は再びＮＯｘを吸着できる状態に再生された判断し、ステップ１０７へ進む。ＴＮＯｘはＴＮＯｘ２よりも高い場合には水素供給の状態が維持される。
そして、ステップ１０７において水素供給フラグがＯＦＦとなり、水素供給によるＮＯｘの放出浄化が完了し、内燃機関１の排気ガス空燃比は再びリーンとなる。ＴＯＮｘはＴＮＯｘ２よりも高い場合には水素供給の状態が維持される。
【００３８】
以上、本発明を実施例により詳細に説明したが、本発明はこれら実施例に限定されるものではなく、本発明の開示の範囲内において種々の変形実施が可能である。
特にＮＯｘ吸着触媒４の出口でＮＯｘ量があるしきい値に達しているかを判別する際には、従来より公知であるＮＯｘ吸着触媒へのＮＯｘ吸着量推定手段を用いてもかまわない。
【００３９】
【発明の効果】
以上説明したように、本発明によれば、メタンの部分酸化反応により水素が生成されることに着目し、排気ガスの空燃比をリッチにしたときに、排気ガス中の炭化水素から水素が生成される量を算出し、生成された水素を好ましくは適切なタイミングでＮＯｘ浄化に使用することにより、触媒で生成された水素を還元剤として、ＮＯｘ浄化触媒に吸収されたＮＯｘの浄化を行うときに、内燃機関の燃費を向上させ、ＮＯｘを効率よく浄化できる排気ガス中の水素量計測装置及び排気ガス浄化システムを提供することができる。
【図面の簡単な説明】
【図１】本発明の排気ガス浄化システムを適用した内燃機関の一例を示す構成図である。
【図２】水素供給及びＮＯｘ浄化の一例を示すタイムフローチャートである。
【図３】水素によるＮＯｘ浄化判断の一例を示すフローチャートであり、所望のタイミングで実行されるルーチンを示している。
【符号の説明】
１    内燃機関
２    三元触媒
３    Ｈ２生成触媒
４    ＮＯｘ吸着触媒
５    第１メタンセンサ
６    第２メタンセンサ
７    ＮＯｘセンサ
８    ＥＣＵ
【図１】
0004006613.tif 000002
【図２】
0004006613.tif 000003
【図３】
0004006613.tif 000004